(57)【特許請求の範囲】
【請求項１】
カバー部とケース面とを有し、収納したディスクの中心穴に係止する係止部材を前記ケース面上に設けて、前記係止部材で前記ディスクを着脱自在に前記ケース内にロックするディスク収納ケースであって、
前記係止部材は、
前記ケース面上に弾性をもって立設されており、前記ディスクの中央部近傍を支持しかつ所定の高さに前記ディスクを保持する受け台と、
前記受け台より更に上方へ延設されており、前記ディスクの中心穴に合致する形状の外周面と前記外周面の一部を切り欠いた切欠部とを有し、前記外周面は、前記ディスクの中心穴の内周壁にかかる応力を緩和するために複数のスリットにより分割された複数片のリブに分割されている円筒状リブと、
前記ケース面上に弾性変形可能なように設けられ、前記円筒状リブと対向し、かつ前記円筒状リブの前記切欠部に侵入可能な形状であり、かつ前記円筒状リブに係合した前記ディスクの中心穴の一部をくわえ込んで前記円筒状リブから前記ディスクが脱落するのを規制する押圧部をその先端に設けたロックアームとを備えており、
前記ディスク取り出しの際に、前記ロックアームの前記押圧部を下方に押し下げて前記ロックアームと前記ディスクとの係合を解除することを特徴とするディスク収納ケース。
【請求項２】
前記ケース面上からの前記円筒状リブの高さは、前記ケース面上からの前記押圧部を押圧してロック解除する時の前記ロックアームの押圧部の上面位置の高さよりも高いことを特徴とする請求項１記載のディスク収納ケース。
【請求項３】
前記受け台の前記ケース面との接続部分のうち、前記接続部分の一部分を切り離した切り離し部分を形成したことを特徴とする請求項１又は請求項２記載のディスク収納ケース。
【請求項４】
前記切り離し部分を、前記円筒状リブの前記複数片のリブのうち前記切欠部に最も近い第１リブの一端から前記第１リブの他端までの間に対応する前記接続部分の一部に設けたことを特徴とする請求項３記載のディスク収納ケース。
【発明の詳細な説明】
【０００１】
【発明の属する技術分野】
本発明は、音声や映像等のデータ信号を記録する円盤状のディスクを収納するケースに係り、特に中心穴を有する光ディスクを確実に保持しかつ容易に出し入れが可能な機構を有するディスク収納ケースに関する。
【０００２】
【従来の技術】
例えばデジタル・バーサタイル（多用途）・ディスク（以下ＤＶＤと記す）のような、多大な音声及び映像情報を記録保持するディスクの収納ケースとしては、現在大別して２種類が用いられている。その一つがいわゆるコンパクトディスク（以下ＣＤと記す）ケース様のもので、ディスクの形状が同一であることからその構成が流用されている。
【０００３】
しかしこのケースではＣＤとの見分けが困難なこと、ケース自体が小振りで映画等を記録した場合、それらの内容を紹介するジャケットやブックレットの大きさに限界があるため、ビデオテープを収納するいわゆるビデオソフトのケースに近いサイズのケースも用いられている。
【０００４】
こうしたケースではディスクの取り出しをいかに容易にするかが重要である。ディスクの標準的な直径は１２０ｍｍと比較的大きく、子供等の手の小さい者には取扱いが困難であった。またＤＶＤ等のディスクではＣＤに比べ記録容量を増大させる必要があることから、２枚のディスクを張り合わせる構成を採用しており、その部分の剥離破損を防止するためにディスクに不要な力を与えない係止手段、取り外し手段が求められている。
【０００５】
そこでこのディスクを確実に保持しながら取り外しの容易なディスクケースを提供すべく、種々の提案がなされていた。こうした提案の一つとして、中心穴を有する光ディスクの保管には、その中心穴に合致するような８〜１２程度に分割された円周状リブを有するケースがある。この８〜１２程度に分割された円周状リブはリブ全長もしくは上端一部の寸法をディスク内径より僅かに大きく設定し、円周状リブのスプリング効果を利用してディスクの保持と出し入れを可能にしている。
【０００６】
そのため、出し入れの際にディスクに負荷をかけないようディスク中心穴と円周状リブのとの係合関係を緩くすると衝撃によりケース内でディスクが円周状リブより外れてしまう危険性があり、外れ落ちを防ぐためその係合関係を強くすると出し入れが困難になりディスクを損傷させる恐れがある。
【０００７】
このような欠点を克服するために図２９に示すような、ディスク保持のために円周状リブではなく、ケース底面２１より内周方向に延びる２ないし３個の弾性支持されたアーム２２の先端でディスク中心穴２６を保持する方法が提案されている。このアーム先端部２３はディスク中心穴２６に合致するような円周形状となっており、さらにその上端はディスク２５の脱落を防止するための突起部２４が設けられている。
【０００８】
この例では、ディスクの装着の際には図３０（ａ）〜（ｃ）に示すように、２個のアーム先端部２３にディスク中心穴２６を合わせてディスク２５を下方に押し込むことにより、ケースに弾性支持されたアーム２２が変形しそれに伴い突起部２４はディスク中心穴２５を変形させつつ内周側に逃げ、アーム先端部２３の突起部２４がディスク中心穴２６に挿入される。その後下方への圧力が無くなるとアーム２２はもとの状態に戻り突起部２４はディスク２５の上面部に配置され、このためディスク２５は保持部より抜け落ちることが無くなる。
【０００９】
一方、ディスク取り出しの際は図３１（ａ）〜（ｃ）に示すように、２個のアーム先端部２３を均一に下方に押しつけることにより、突起部２４はディスク中心穴２６を変形させつつ内周側に逃げディスク中心穴２６の下側に押し込まれる。その後、下方向への圧力を取り除くと各突起部２４の上にディスク２５の内周が乗り上げた状態で上方に押し上げられる。これによりディスク２５は容易に保持部より取り外すことができる。
【００１０】
【発明が解決しようとする課題】
前記した方式のディスクケースは、ディスク２５の着脱の際にディスク中心穴２６に強い負荷を加えるために、ＤＶＤのような貼り合わせディスクにおいて、割れや接着面の剥がれを生ずる危険があり好ましくない。
【００１１】
また、前記した方式のディスクケースは、図３２に示すように、中央部にある２個のアーム先端部２３は取り出し時に押しやすく、またロックが解除された後にディスク２５を押し上げられるように保持されたディスク上面より大きく飛び出しているため、偶発的な力が加わるとロックが解除され、ディスク２５が保持部より抜け落ちる恐れがある。特に、この機構の場合アーム２２の弾性力を維持するためケースの材質をポリブロピレン等の弾性のある材料を用いる必要があり、ディスクを保持したケースの外側よりディスク保持部付近に力が加わるとケース上蓋２７に撓みが発生し変形したケース上蓋２７Ａがアーム先端部２３を下方に押し下げロックが解除されディスク２５が保持部より抜け落ちる恐れがあった。
【００１２】
そこで本発明は、前述した問題を解決することのできる中心穴を有する光情報記録ディスクを容易に出し入れ出来、かつ安全に保持保管できるディスク収納ケースを提供することを目的とする。
【００１３】
【課題を解決するための手段】
上記した課題を解決するために、本発明は、下記（１）〜（４）の構成のディスク収納ケースを提供する。
（１）  カバー部とケース面とを有し、収納したディスクの中心穴に係止する係止部材を前記ケース面上に設けて、前記係止部材で前記ディスクを着脱自在に前記ケース内にロックするディスク収納ケースであって、
前記係止部材は、
前記ケース面上に弾性をもって立設されており、前記ディスクの中央部近傍を支持しかつ所定の高さに前記ディスクを保持する受け台と、
前記受け台より更に上方へ延設されており、前記ディスクの中心穴に合致する形状の外周面と前記外周面の一部を切り欠いた切欠部とを有し、前記外周面は、前記ディスクの中心穴の内周壁にかかる応力を緩和するために複数のスリットにより分割された複数片のリブに分割されている円筒状リブと、
前記ケース面上に弾性変形可能なように設けられ、前記円筒状リブと対向し、かつ前記円筒状リブの前記切欠部に侵入可能な形状であり、かつ前記円筒状リブに係合した前記ディスクの中心穴の一部をくわえ込んで前記円筒状リブから前記ディスクが脱落するのを規制する押圧部をその先端に設けたロックアームとを備えており、
前記ディスク取り出しの際に、前記ロックアームの前記押圧部を下方に押し下げて前記ロックアームと前記ディスクとの係合を解除することを特徴とするディスク収納ケース。
（２）  前記ケース面上からの前記円筒状リブの高さは、前記ケース面上からの前記押圧部を押圧してロック解除する時の前記ロックアームの押圧部の上面位置の高さよりも高いことを特徴とする請求項１記載のディスク収納ケース。
（３）  前記受け台の前記ケース面との接続部分のうち、前記接続部分の一部分を切り離した切り離し部分を形成したことを特徴とする請求項１又は請求項２記載のディスク収納ケース。
（４）  前記切り離し部分を、前記円筒状リブの前記複数片のリブのうち前記切欠部に最も近い第１リブの一端から前記第１リブの他端までの間に対応する前記接続部分の一部に設けたことを特徴とする請求項３記載のディスク収納ケース。
【００１４】
また、上記した手段の具体例として、下記（ａ）〜（ｄ）の構成のディスク収納ケースが考えられる。
（ａ）  中心穴を有する光情報記録ディスクを収納するケースにおいて、中心穴部でディスクを保持するためディスク中心穴径に合致する外形寸法にてケース底部より垂直に設けられた円筒状リブと、ケース底部に弾性変形可能に支持されたディスク抜け落ち防止ロック機構を有する１個のアームとにより構成されたディスク保持機構を有し、ディスク保持用の円筒状リブはその円周状の一部を欠損しており、またロック用アームの内側端は円筒状リブの欠けた円周を補うためディスク中心穴に合致した部分とディスクの抜け落ち防止機構としての突起部より構成され、上面はロック解除のために下方向に押し下げやすい凸形状となっており、ディスクをケースに装着する際には、ディスク中心穴を円筒状リブに沿って下方向に押し下げることによりロック用アームは下方向に変形しアーム押し圧部上端に位畳する突起部がディスク中心穴を通過した後ディスク上面を押さえる位置に戻り、ディスク取り出し時にはロック用アーム内側端の押し圧部を下方向にロック解除位置以下に押し下げた後アームを解放すると、ディスクはアーム押し圧部上端の突起部の上に乗り上げた形で円筒状リブに沿って押し上げられることを特徴とするディスク収納ケース。
（ｂ）  前記ディスク保持用の円筒状リブがロック解除時のロック用アームの押し圧部上面位置より高く設定されており、指先等によるロック解除動作にはスムーズに作動するが、ケース外壁のたわみ等による円筒状リブ外形以上の面積に加わるような偶発的な応力の場合、円筒状リブ上面がその応力のストッパーの役割をし不必要なロック解除には至らないことを特徴とするディスク収納ケース。
（ｃ）  前記ディスク保持用の円筒状リブを複数に分けるスリットを設けることにより、ディスク着脱の際にロック用突起部によりディスク中心穴に応力が加わると、円筒状リブが内径方向に変形しそれに伴いディスクがロック用突起部の方向に移動することで、ディスクに加わる応力を緩和しかつロック用突起部がディスク中心穴を通過しやすくなることを特徴とするディスク収納ケース。
（ｄ）  ディスクを信号に影響のない内周部にて保持するために、前記ディスク保持用の円筒状リブの直近に円筒状リブと同心円状のディスク受け台を持つことを特徴とするディスク収納ケース。
【００１５】
【発明の実施の態様】
以下、本発明のディスク収納ケースを図面に沿って、（実施例１）、（実施例２）、（実施例３）、（実施例４）の順に説明する。
【００１６】
本発明のディスク収納ケース１００Ａは、後述する図２２〜図２８に示すように、カバー部（＝ケース上蓋、カバー側１１０）とケース面（＝ケース底面、トレイ側１２０Ａのプレート１２５）とを有し、収納したディスク２００の中心穴２０１に係止する係止部材（係合部１３０Ａ）を前記ケース面１２５上に設けて、前記係止部材１３０Ａで前記ディスク２００を着脱自在にケース１００Ａ内にロックするディスク収納ケースであって、
前記係止部材１３０Ａは、
前記ケース面１２５上に立設されており、前記ディスク２００の中央部近傍（中心穴２０１近傍）を支持しかつ所定の高さＨＨに前記ディスク２００を保持する受け台１６０Ａと、
前記受け台１６０Ａより更に上方へ延設され、前記ディスク２００の中心穴２０１に合致する形状の外周面１５０Ａと前記外周面１５０Ａの一部に切欠部（切り欠き部１５Ａ）とを有し、かつ複数片のリブ１５１Ａ〜１５１Ｆに分割されている円筒状リブ１５０と、
前記ケース面１２５上に弾性変形可能なように設けられ、前記円筒状リブ１５０と対向し、かつ前記円筒状リブ１５０の前記切欠部１５Ａに侵入可能な形状であり、かつ前記円筒状リブ１５０に係合した前記ディスク２００の中心穴２０１の一部をくわえ込んで前記円筒状リブ１５０から前記ディスク２００が脱落するのを規制する押圧部（＝アーム押圧部。ディスク係合面１４２、リップ１４３、ボタン状部１４４からなる）をその先端に設けたロックアーム１４１（図２３のように全体として係止部１４０を形成）とを備えているていることを特徴とするディスク収納ケースである。
【００１７】
また、本発明のディスク収納ケース１００Ａは、後述する図２７に示すように、前記ケース面１２５上からの前記円筒状リブ１５０の高さＨ１は、前記ケース面１２５上からの前記押圧部を押圧してロック解除する時の前記ロックアーム１４０の押圧部の上面１４４Ａ位置の高さＨ２よりも高いことを特徴とするディスク収納ケースである。
【００１８】
また、本発明のディスク収納ケース１００Ａは、後述する図２３，図２８に示すように、前記受け台１６０Ａの前記ケース面１２５との接続部分１２５Ａのうち、前記接続部分１２５Ａの一部分を切り離した切り離し部分（切り込み１６５）を形成したことを特徴とするディスク収納ケースである。
【００１９】
さらに、本発明のディスク収納ケース１００Ａは、前記切り離し部分１６５を、前記円筒状リブ１５０の前記複数片のリブ１５１Ａ〜１５１Ｆのうち前記切欠部１５Ａに最も近い第１リブ１５１Ａ，１５１Ｆの一端から前記第１リブ１５１Ａ，１５１Ｆの他端までの間に対応する前記接続部分１２５Ａの一部１２５Ｂに設けたことを特徴とするディスク収納ケースである。
【００２０】
（実施例１）
まず、本発明のディスク収納ケースの実施例１について説明する。
図１は本発明のディスク収納ケースの実施例１の平面図、図２は図1に示したディスク収納ケースにディスクを収納したときのケース背板部３側から見た中央部縦断面図、図３はディスク保持機構を説明するための図、図４はディスク着脱時のディスク保持機構の動作を説明するための図、図５はケース上蓋変形時の状態を説明するための図である。
【００２１】
図１、図２に示すディスク収納ケースは、ケース背板部３と一体蝶番４にて連結されたケース上蓋（カバー部）１とケース底部（プレート部）２とで構成され、ポリプロピレン等の弾性のある材料により一体成形された収納容器である。このケース底部２には、ほぼ中央に一体成形されたディスクの保持機構５とディスク受け台６を有し、さらに収納されるディスク外周に対応する全周もしくは一部に一体成形された４つのディスク保護用リブ７が設けられる。また、ケースに収納してあるディスク８を偶発的な応力により変形することを防ぐために、このディスク保護用リブ７はディスク外周端に近接する部分に４つ設けられている。
【００２２】
次に、図３（ａ），（ｂ）に示すようにディスク保持機構５は、円筒状リブ９と
ロックアーム１０とを備えている。円筒状リブ９は、ディスク８の中心穴１４の内周面（内壁）を位置規制するために、ディスク８の中心穴１４の直径に略合致する外形寸法を有し、かつディスク受け台６から立設してなるものである。ロックアーム１０は、円筒状リブ９で位置規制しているディスク８の抜け落ちを防止するために、ディスク８上面の中心穴１４近傍を規制するロック機構を有し、かつケース底部２から弾性をもって立設してなる。
ディスク受け台６は、ロックアーム１０でディスク８上面の中心穴１４近傍を規制しているのとは反対側において、ディスク８下面の中心穴１４近傍を規制し、かつケース底部２から円筒上に弾性をもって立設してなる。
【００２３】
前記した円筒状リブ９及びディスク受け台６は、各円筒状リブ９の一部（円周上の略１／３程度）が連続して切欠されて切欠部１５が形成されており（図３の１６が円筒状リブ９が切欠された範囲を示す）、この切欠部１５内にはロックアーム１０（アーム１０ａ及びアーム押圧部１１）が侵入可能である。また円筒状リブ９の先端部（上面）９ａにはディスク８の着脱を容易にするようにＲ形状もしくはテーパ形状となっている。さらに円筒状リブ９にはディスク８の着脱時にディスク中心穴１４の内周壁にかかる応力を緩和するために、円筒状リブ９を縦に４〜８等分するスリット１３が設けられている。スリット１３を分ける数はリブ強度や着脱性を勘案して設定すれば良い。前記したディスク受け台６は円筒状リブ９と同心円状に設けられおり、またディスク受け台６の直径は円筒状リブ９の直径よりも大である。
【００２４】
前記したロックアーム１０は、アーム１０ａとアーム押圧部１１と突起部１２とを備えている。
アーム１０ａの一端はケース底部２上に所定の傾きで弾性をもって形成されている。アーム１０ａの他端が連接するアーム押圧部１１は前記した切欠部１５を補うためにディスク８の中心穴１４に合致する寸法を有している。突起部１２はアーム１０ａの他端が連接するアーム押圧部１１の上端に設けられており、ディスク８上面の中心穴１４近傍を規制するロック機構の役目をする。
【００２５】
通常、ディスク８はケースに収納される場合、信号に影響のない中心部のみで保持されることが好ましく、そのためディスク保護リブ７はディスク８の外周方向からの応力が加わったときにディスク８の大きな変形を防ぐために機能するものである。
【００２６】
このようなディスク保持機構におけるディスク脱着のメカニズムを図４（ａ）〜（ｃ）に示す。
ケースヘのディスク装着時には、図４（ａ）のようにディスク中心穴１４を円筒状リブ７に沿わせディスク中央付近を下方向（矢印Ｐ）に押し下げる。これにより図４（ｂ）のようにロック用アーム１０（アーム１０ａ）は下方向に変形しアーム押圧部１１の上端に位置する突起部１２がディスク中心穴１４を通過していくが、このときスリット１３により分割された円筒状リブ９が撓わみ、ディスク中心穴１４に加わる応力を緩和する。このようにして突起部１２は容易にディスク中心穴１４を通過し、図４（ｃ）ように突起部１２がディスク８の上面を押さえる位置に戻り、ディスク８はディスク中心穴１４に応力を受けることなく、ディスク受け台６で確実に保持される。
【００２７】
一方、ディスク取り出し時には、前述した図４（ａ）〜（ｃ）の説明順序とは逆の順序で、アーム押圧部１１を押し下げた後に、ディスク８と突起部１２との係合を外して、ディスク８を取り出せば良い。具体的には、まずアーム押圧部１１を下方向に押し下げる。これによりロック用アーム１０（アーム１０ａ）が下方向に変形し、円筒状リブ９も撓むことでアーム押圧部１１の上端の突起部１２はディスク中心穴１４を通過する。このようにして、ロックは解除される。
【００２８】
ここで、図４（ｄ）は、アーム押圧部１１の突起部１２がディスク中心穴１４を通過する直前の状態を示したもの（図４（ｂ）と同じ状態）であるが、ディスク８の保持機構５が図４（ｂ）の状態にあるときに、ケース底部２上から円筒状リブ９の上面までの高さｈは、ケース底部２上からアーム押圧部１１を押圧してロックが解除される直前のアーム押圧部１１の上面位置までの高さＨよりも高いことを示している。
【００２９】
この後、ロック用の突起部１２がディスク中心穴１４を完全に通過すると円筒状リブ９は元に戻ろうとし、これに伴いディスク中心穴１４の端部（内周壁面）が突起部１２の上に乗り上げて、ディスク８を突起部１２の上に乗せた状態にて円筒状リブ９に沿って押し上げられる。その後は押し下げ力を除いても元の係合関係に復することがない。そこで、係合関係を解除した後ディスク８を取り上げるだけの状態となるので、取り出しが容易である。
【００３０】
このような動作を行うディスク保持機構５において、図４（ｄ）で説明したように、ディスク保持用の円筒状リブ９の前記した高さｈはロック解除時のアーム押圧部１１上面位置までの前記した高さＨより高く設定されている（ｈ＞Ｈ）。
【００３１】
このため、図５（ａ），（ｂ）に示すように、ケース上蓋（カバー部）１の撓み等による円筒状リブ９の外径以上の面積に加わるような偶発的な応力が加わった場合（撓んだケース上蓋１ａ参照）でも、円筒状リブ９の先端部９ａが前記の高さｈを有するので、ケース上蓋１ａのストッパーの役割を果たし、ケース上蓋１ａが円筒状リブ９の先端部９ａに位置規制されるので、ケース上蓋１ａでアーム押圧部１１の上端が押されても前記上端の位置はロック解除位置Ｈ以下に下がることは未然に防止できるという作用が生じる。
【００３２】
円筒状リブ９は指先等によるロック解除動作を阻害することなく、上述のように不必要なロック解除に至ることを防止し、ケース内でのディスク８の脱落によるディスクの傷、破損、変形等の事故を防止することができる。
【００３３】
以上述べたように、ディスク収納時には、ディスク中心穴１４を円筒状リブ９に沿わせてディスク中央付近を下方向に押し下げると、ロック用アーム１０（アーム１０ａ）は下方向に弾性変形してロック用アーム１０（突起部１２）がディスク８上方に当接するようになり、ディスク８がケース底部２に係合保持されるようになる。この間、主にケース底部２が変形するように構成されているので、収納、取り出し時のディスク８の変形が最小限に抑えられ、ディスク８に記録された信号、あるいはディスク８そのものの破損を防止できる。しかもロック用アーム１０の周囲にこのロック用アーム１０（アーム押圧部１１の上端１１ａ）よりも高さの高い（高さｈ）円筒状リブ９を配置しているので（図４（ｄ））、持ち運び時等、ケース中央部（ロック用アーム１０（アーム押圧部１１）に対向する部分）に不要な力が加わり、その結果ケースのケース上蓋１側やケース上蓋１側の内側に収納された印刷物等がロック用アーム１０（アーム押圧部１１）を押し下げることがない。従って不用意にディスク８とロック用アーム１０（突起部１２）との係合関係が外れてディスク８がケース内を動き回り、結果としてディスク８に記録された信号の読みとりが不能になったりする事を防止できる。
【００３４】
さて本発明のディスク収納ケースの実施例２は、前述した実施例１のディスク保持機構をより詳細に説明したものである。
【００３５】
（実施例２）
次に本発明のディスク収納ケースの実施例２について説明する。
図６は本発明のディスク収納ケースの実施例２の斜視図、図７は係合部の拡大斜視図、図８は係合部を示す平面図、図９は係合部とディスクとの関係を示す断面図、図１０はカバーが変形した場合の全体を示す断面図、図１１はカバーが変形した場合の係合部周囲を示す図１０の拡大断面図、図１２はディスクが収納されている状況を示す断面図、図１３はディスクを取り出し作業途中段階を示す断面図、図１４はディスクを取り出し作業最終段階でボタン状部を押しきった状況を示す断面図、図１５はディスク収納開始時の関係を示す側面図、図１６はディスクが収納される最終段階を示す側面図、図１７はディスクが異なった機序で収納された場合の途中段階を示す側面図、図１８はディスクを図１７の状態よりもさらに変形させて収納する場合を示す側面図、図１９は本発明に係るディスク収納状況を示す断面図、図２０は本発明に係るディスク取り出し作業途中段階を示す図、図２１は本発明に係るディスクを取り出し作業最終段階でボタン状部を押しきった状況を示す断面図である。
【００３６】
ケース全体は、図６に示すように一体として成形されており、カバー側（＝ケース上蓋、カバー部）１１０、トレイ側（＝ケース底部、プレート部）１２０及びそれらを繋ぐ背部分（＝ケース背板部）１８０に大きく分けられる。背部分１８０の両側にはそれぞれカバー側１１０及びトレイ側１２０に繋がるヒンジ部分（＝蝶番）１８１，１８１がある。このヒンジ部分１８１，１８１が屈曲しカバー側１１０及びトレイ側１２０が対向して一つのケース１００を形成する。カバー側１１０及びトレイ側１２０にはそれぞれが嵌合する関係にある少なくとも一対のフック１１１，１２１が設けられている。ヒンジ部分１８１，１８１が屈曲してケースを形成したとき、フック１１１，１２１が嵌合して、ヒンジ部分１８１の弾性によりケースが開いてしまうのを防止している。
【００３７】
またカバー側１１０には内側に突出する少なくとも１個のアーム１１２が通常設けられる。このフック１１２には、ディスクと共に収納されるディスクに記録された情報内容の使用法や解説等を記載したブックレット（図示せず）が挟み込まれて収納される。一方トレイ側１２０にはディスクを係止するための係合部１３０Ａおよびディスク外周部にあってディスク２００を保護するディスク保護リブ１７０が設けられている。なお保護リブ１７０は収納されたディスク２００に不要意に側方から力を加えたり、或いは誤ってケース１００を落下させたときにディスク２００の外周方向からこれを保護（位置規制）するためのものであり、ディスク２００を所定の高さに保持或いは維持しようとするものではない。
【００３８】
係合部（＝ディスク保持機構）１３０は、図７に示すように、ディスク２００の係止及び離脱の操作を受ける係止部１４０と、この係止部１４０と協動してディスク２００を保持する複数片に分割された円筒状リブ１５０及びその基部に位置してディスク２００を所定の高さに支持する受け台１６０により成る。
【００３９】
係止部１４０は、トレイ側１２０のプレート１２５からケース内側方向に延びる腕１４１、その先端から上方向に延びディスク中心穴２０１の壁面２０２に軽係合する面１４２、前記係合面１４２に連続してディスク中心穴２０１近傍を上方から押さえるリップ１４３及びディスク取り外しの際、係止部１４０を押し下げる力を受けるボタン状部１４４，該ボタン状部１４４からリップ１４３に繋がる傾斜面１４５からなる。また、この係止部１４０は後述する切り欠き部１５Ａに侵入するように形成されている。
【００４０】
一方、円筒状リブ１５０は受け台１６０から上方へ延設されており、図７で示すような切り欠き部１５Ａを有するので、全体で弧状に形成されることになる。また、円筒状リブ１５０は複数のリブ１５１，１５１より構成される。これらリブ１５１，１５１を区分する溝１５２，１５２は受け台上面１６１にまで延在し、ディスク２００の取り出しの際、複数のリブ１５１，１５１がそれぞれ係止部１４０の中心方向に撓むのを容易にしている。この例では、円筒状リブ１５０は６つのリブ１５１、５つの溝１５２を備えている。
【００４１】
ここで図８に示す如く、複数のリブ１５１と垂直面１４２とはそれぞれ全体として円弧を形成し、その径ｄは図９に示すように収納されるディスク２００の中心穴２０１の径Ｄと略同一となるようされている。
【００４２】
また図７に戻って、受け台１６０は前記したプレート１２５から上方に延設されてなり、その径はディスク２００中心部の無信号部と同一あるいはそれを下回る径とされる。また受け台上面１６１の高さは、この受け台上面１６１と係止部１４０のリップ１４３下面との間の距離ｄ１がディスク２００の厚さｄ２とほぼ同等になるよう設定される（図９）。そこで係止収納されるディスク２００は円筒状リブ１５０の複数のリブ１５１からなる該円弧により位置を規制されてディスク受け台１６０に載り、リップ１４３により振動や衝撃を受けた際にもディスク２００が係止関係を離脱しないよう押さえ込まれる（くわえ込まれる）ことになる。
【００４３】
ところでこうしたケース１００は柔軟性のある樹脂を用いて造られるため、持ち運びや取り扱いの際、誤ってケース１００の中央部を押し下げてしまう虞がある。このような場合図１０の如く、ケース１００のカバー側１１０が撓み、直接或いはカバー１１０側に収納された解説書類を介して、ディスク２００との係合関係を解除するボタン状部１４４を押し下げてしまうことが考えられる。しかし図１１に示されるようにカバー側１１０がケース内側方向に押し下げられたとき、カバー側１１０の内側あるいはカバー側１１０の内側に収納された解説書類が円筒状リブ１５０に先に当接し、ボタン状部１４４がディスク２００との係合関係が解除される位置まで押し下げることがないよう、円筒状リブ１５０の高さｈ１を設定している。従ってケース持ち運び等の際誤ってケース上下面より係止部１４０の近傍を圧迫してもディスク２００との係合関係が解除されることはない。
【００４４】
さて係合状態であるディスク２００をケース１００の外へ取り出すには、図１２に示す収納状態においてボタン状部１４４を下方向に押し下げる。すると図１３の如く腕１４１はプレート１２５との接合点を中心に回転すると共に腕１４１も撓んで、リップ１４３とディスク２００との係合量が減少する。またリップ１４３に倣ってディスク２００が係止部１４０方向（図１３中、Ｓ）に押し出され、これに従って円筒状リブ１５０のリブ１５１が中心方向に撓む（図１３中、Ｔ）。こうしてディスク２００が水平移動して、ディスク中心穴２０１の内壁とリップ１４３先端との摩擦力に腕１４１の弾性復元力が勝ったとき、リップ１４３の先端がディスク中心穴２０１をすり抜けて、リップ１４３がディスク２００下面に入り込むことにより係合関係が解消される。また同時にリブ１５１に加えられていた横方向へ変形させる力が無くなるため、リブ１５１は通常の姿勢に戻る（図１４）。
【００４５】
ここで押し下げ力を取り除くとディスク２００は、元の姿勢に復した円筒状リブ１５０により位置を規制されるので、再びリップ１４３の先端がディスク中央孔２０１をすり抜けて係合関係に復することはなく、リップ１４３の上にある傾斜面１４５を含むボタン状部１４４にディスク２００を載せた状態で押し上げられる。これにより完全に係止関係が解除されたので、ディスク２００は容易に手に取ることができる。
【００４６】
このように  上述した（実施例２）では一連のディスク取り出し操作の間、円筒状リブ１５０が変形し、ディスク中心穴２０１に与える応力を緩和するので、ディスクの割れや貼り合わせディスクにおけるディスク接着面の剥がれを生じることはない。また、ディスク自体に大きな撓みも生じることはないので、ディスク全体に大きな負荷がかかることもない。
【００４７】
一方ディスク２００をケース１００に収納する場合は、図１５に示す如く、ディスク２００を係合部１３０とほぼ同心となる位置にセットした後、ディスク中心穴２０１近傍を押し下げる。この際図１６に示すように係止部１３０のリップ１４３近傍を押し下げると、ディスク２００が傾きつつ先にディスク中心穴２０１がリップ１４３の下に入り込み、続いてディスク中心穴２０１の反対側がリブ１５０と係合して（ディスクが図中矢印に示すように動いて）、収納が完了する。
【００４８】
ところで、上述した図１に図示の（実施例１）や図６に図示の（実施例２）では、ディスク収納の際、ディスク８，２００を十分に押し下げることができないので、収納時にディスク８，２００に大きな負荷がかかる場合があり、その際、ディスク８，２００の収納が確実に行われず、さらにはディスクを破損したり、或いはディスクに記録された信号の読みとりが不能となるおそれが考えられた。そこで以下にさらに詳述する。
【００４９】
本発明の（実施例１）は、ディスク８を収納するには、ディスク８をケース底部２のロック用アーム１０（アーム押圧部１１）上に載せた後、ディスク８の内周部を押し下げる。これによりケース底部２のロック用アーム１０（アーム１０ａ）が弾性変形してディスク８の上側に回り込み、この結果、ロック用アーム１０（突起部１２）がディスク８を上方向から押さえ込むことになって、ディスク８がケースに保持されることになる。この場合、ディスク８は弾性変形したロック用アーム１０（突起部１２）よりも更に下側まで押し下げられる必要があるが、ディスク８はディスク受け台６により高さ規制されているために、さらに下がる事ができない場合がある。そのためディスク８の内周部を押し下げる際、その力を加える部分が制限される。
【００５０】
また、上述した本発明の（実施例２）では、ディスク内周部のリップ１４３近傍でないところに押し下げ力を加えると図１７に示すように、先にディスク２００がディスク受け台１６０上に載ってしまい、それ以上押し下げることが出来なくなる場合がある。こうした場合、ディスク２００を横方向に作用する力の発生が弱く、ディスク中心穴２０１は円筒状リブ１５０に倣ってしまう（円筒状リブ１５０の形状に沿って押し下げられる）ので、係止部１４０はディスク２００の下に押し下げられるか、図１７のように中途の位置で停止してしまう場合がある。
【００５１】
このためにこれを確実に係止させるには、図１８のように更にリップ１４３近傍を下に押し下げる必要がある。このためにディスク収納の際、ディスク内周部のリップ１４３近傍を押し下げれば正しく収納されるものの、それ以外の部分を押し下げた場合は係合されないことが判った。また取り扱いによっては図１８に示されるような中途の位置で停止する場合があり、この状態で長期間放置すると、ディスクやケースの破損につながる虞があり、また図１８の破線で示すように更に押し下げ力を加えれば、係合させることは可能であるが、ディスク２００の変形量が大きく、ディスク２００の破損につながるおそれもある。
【００５２】
これらの改善すべき点を全て解消するために、さらに熟慮した結果、後述する本発明の（実施例３）を発明した。この発明の骨子は次の通りである。即ち、後述するように、
カバー部（カバー側）１１０と、プレート部（トレイ側１２０のプレート１２５）と、ディスク中央部を支持しかつ所定の高さにディスク２００を保持する受け台１６０Ａと、受け台１６０Ａより更に延設されてディスク中央穴２０１にその内側より当接する１ないし２以上のリブ１５１と、このリブ１５１と対向しかつ弾性を有してディスク２００と係合離間可能とする係止部１４０とを有するディスクケース１００Ａにおいて、
プレート１２５から延設してなる受け台１６０Ａの接続部分のうちその一部分を切り離し、さらに具体的には受け台１６０Ａとプレート１２５の接続部分のうち切り欠き部１５Ａに連なる部分を切り離した（切り込み１６５を備えた）構成である。
【００５３】
この作用としては、ディスク収納時にディスク２００を上方から押し下げた際、係止部１４０が押し下げられるとともに、切り込み１６５により基台（受け台上面１６１）と分離されたディスク受け台（後で述べる無支持部１６４に相当）が同様に下方向に撓むことができるため、係止部１４０に対してディスク２００が十分押し下げられて、係止部１４０との係合が容易になる。そこで確実な係合関係を得るための押し下げ力を加える位置の範囲が拡大するものである。
【００５４】
（実施例３）
以下、本発明のディスク収納ケースの実施例３について説明する。
本発明のディスク収納ケースの（実施例３）は、前述した（実施例１）、（実施例２）の構成と比較して、ディスク受け台６，１６０に無支持部１６４を設けると共に、無支持部１６４下方に切り込み１６５を備えたものに等しいものである。
図２２は本発明のディスク収納ケースの実施例３の斜視図、図２３は係合部の拡大斜視図、図２４は係合部を示す断面図、図２５はディスク収納開始時の関係を示す断面図、図２６はディスク収納途中の状況を示す断面図、図２７はディスク収納がさらに進行した状況を示す断面図、図２８は係止部の平面図である。前述したものと同一構成部分には同一符号を付し、その説明は省略する。
【００５５】
ケース全体は、図２２に示すように一体として成形されており、カバー側（＝ケース上蓋、カバー部）１１０、トレイ側（＝ケース底部、プレート部）１２０Ａ及びそれらを繋ぐ背部分（＝ケース背板部）１８０に大きく分けられる。ヒンジ部分（＝蝶番）１８１，１８１が屈曲しカバー側１１０及びトレイ側１２０Ａが対向して一つのケース１００Ａを形成する。トレイ側１２０Ａにはディスク２００を係止するための係合部１３０Ａおよびディスク外周部にあってディスクを保護するディスク保護リブ１７０が設けられている。なお保護リブ１７０は収納されたディスク２００に不用意に側方から力を加えたり、或いは誤ってケースを落下させたときにディスク２００の外周方向からこれを保護（位置規制）するためのものであり、ディスク２００を所定の高さに保持或いは維持しようとするものではない。
【００５６】
係合部１３０Ａは、図２３に示すように、ディスク２００の係止及び離脱の操作を受ける係止部１４０と、これと協調してディスク２００を保持する複数片に分割された円筒状リブ１５０及びその基部に位置してディスク２００を所定の高さに支持する受け台１６０Ａにより成る。係合部１３０を構成する係止部１４０は前述した実施例２と略同様の構成であるが、受け台１６０Ａは実施例２の受け台１６０と構成が異なり、平面部分１６１と壁面１６２と無支持部１６４と切り込み１６５とを備えている。
【００５７】
即ち、図２４に示すように、プレート１２５から斜め上方に延びる腕１４１およびディスク中心穴壁面２０２（図２６）と当接する垂直面１４２、ディスク２００を上方から押さえ込むリップ１４３、解除の際の押し下げ力を受ける押しボタン部１４４及び押しボタン部１４４からリップ１４３先端につながる傾斜面１４５で構成される。
【００５８】
また円筒状リブ１５０及びその基部に位置してディスク２００を所定の高さに支持する受け台１６０Ａも同様に備えているが、本発明では受け台１６０Ａの壁面１６２とケース（トレイ側１２０Ａ）のプレート１２５との接続部分のうち係止部１４０に近い両端部分（一部）に切り込み１６５を設けてある。従って切り込み１６５によりプレート１２５からの直接の支えのない無支持部１６４はディスク受け部１６０Ａの他の部分とは受け台１６１の平面部分と壁面１６２とでのみ接続されていることから、受け台１６１に上方から力が加わると、この繋ぎ部分が弾性変形を生じて下方向に撓むことが可能となる。
【００５９】
円筒状リブ１５０のうち、係止部１４０と対向するリブ１５１には、図２４、図２５で示すような凸部１５３が設けられている。収納されたディスク２００はこの凸部１５３により上方から軽く押さえられるため、ディスク収納時には、リップ１４３と協働してディスク２００が係止部１４０方向に傾くのを抑える事ができる。
【００６０】
ここでディスク２００を収納するには、図２５に示す如く、ディスク２００を係合部１３０とほぼ同心となる位置にセットした後、ディスク中心穴２０１近傍を押し下げ力Ｐで押し下げる（図２６）。この時、本発明は切り込み１６５（図２３）による無支持部１６４の撓みを利用することから、確実な収納を行うには、無支持部１６４上或いはディスク受け台１６０Ａのない部分の範囲に押し下げ力を加えることが望ましい。これによりディスク２００の中心穴２０１がリブ１５１に当接するとともに、ディスク２００下面がディスク受け台１６１に当接する。
【００６１】
更に押し下げ力を加えると、ディスク２００を介して無支持部１６４に押し下げ力が作用し、無支持部１６４は図２７の下方向に弾性変形する。このときディスク２００には傾斜面１４５をリップ１４３方向への力が生じるとともに、無支持部１６４が弾性変形して傾きを生じることにより、ディスク２００には図２７のようにＳ方向への力が作用する。この力がディスク２００と当接しているリブ１５１をリップ１４３方向に弾性変形させる（図２７中、Ｔ）。
【００６２】
さらには無支持部１６４を押し下げる力がディスク受け台１６０Ａ全体に作用し、ディスク受け台１６０Ａ全体が係止部１４０方向下方に向けて弾性変形する。そのためディスク受け台１６０Ａ上から延設されている円筒状リブ１５０も同様に係止部１４０方向下方に向けて弾性変形して、上述した力Ｓと協調してリブ１５１が係止部１４０方向に傾く。そのためディスク２００が係止部１４０方向に移動できるのでディスク中心穴２０１と係止部１４０のリップ１４３との重なりの距離が減少するので、リップ１４３がディスク中心穴２０１を通過するのが容易になる。ここで腕１４１の弾性復元力で、リップ１４３の先端がディスク中心穴２０１をすり抜けられる位置までリブ１５１と腕１４１の変形が進行したところで、リップ１４３先端がすり抜け係止部１４０がもとの姿勢に戻る。
【００６３】
ここで押し下げ力を解除するとリブ１５１と無支持部１６４が弾性力により元の姿勢に戻ってディスク２００は係合部１３０Ａの中心位置に復する。このようにして、ディスク中心穴２０１に過大な負荷を加えることなくディスク受け台１６１とリップ１４３間でディスク２００を確実に保持することができるようになる。また、ディスク自体に大きな撓みも生じることはないので、ディスク全体に大きな負荷を与えることもない。
【００６４】
ここで切り込み１６５による壁面１６２と基台１２５の切り離し量は、前述の動作を確保するのに適した量で、かつ、成形加工時に無支持部１６４へ充分な樹脂流量を確保できること、成形後に不要な変形が生じないような接続距離を確保すること等を考慮して適宜選択される。本実施例では図２８に示されるように、ディスク受け１６０の両端から、受け台１６１にまで延設されている溝１５２Ａ，１５２Ｆのうちまでを切り離している。ディスク受け台１６０Ａに押し下げ力が加わった際に、この溝１５２Ａ，１５２Ｆを基軸に弾性変形が安定して生じるように考慮したからである。
【００６５】
なおこの無支持部１６４を下方向に弾性変形させるには、その接続部分１２５Ａの断面形状がＬ字状となっていることより構造上の力は確保されているので、収納時等にディスク２００の自重でこの部分が不用意に変形してディスク２００の保持が不充分となることはない。
【００６６】
一方ディスクを取り出す際には、収納状態においてボタン状部１４４を下方向に押し下げる。すると図２７の如く腕１４１はプレート１２５との接合点を中心に回転すると共に腕１４１も撓んで、リップ１４３とディスク２００との係合量が減少する。更にリップ１４３に倣ってディスク２００が図２７中、Ｓ方向に押し出され、これに従って円筒状リブ１５０のリブ１５１が中心方向に撓む（図２７中、Ｔ）。
【００６７】
またリップ１４３を介して下向きの力を受けたディスク２００が無支持部１６４を押し下げるため、ディスク受け台１６０Ａ全体が係止部１４０方向下向きに弾性変形し、結果、ディスク受け台１６０Ａから延設されたリブ１５１の中心方向への撓みＴが増長される。
【００６８】
こうしてディスク２００が水平移動して、リップ１４３の先端がディスク中心穴２０１をすり抜けて、リップ１４３がディスク２００下面に入り込むことにより係合関係が解消される。また同時にリブ１５１に加えられていた横方向へ変形させる力が無くなり、さらに無支持部１６４を押し下げる力も無くなるのでリブ１５１は通常の姿勢に戻る（前述した図２１の通り）。
【００６９】
ここで押し下げ力を取り除くとディスク２００は元の姿勢に復した円筒リブ１５０により位置を規制されるので、再びリップ１４３の先端がディスク中央孔２０１をすり抜けて係合関係に復することはなく、リップ１４３の上にある傾斜面１４５を含むボタン状部１４４にディスク２００を載せた状態で押し上げられる（図１５で示した収納開始時の状態に戻る）。これにより完全に係止関係が解除されたので、ディスク２００は容易に手に取ることができる。
【００７０】
これまで説明してきた通り、ディスク２００の収納及び取り出し操作では、係止部１４０の腕１４１の弾性力が大きく動作に影響していることが分かる。したがって、いうまでもないことではあるが、本発明の実施に際しては、腕１４１の厚さや腕１４１への補強リブ等を適宜考慮して弾性力の調整を行うことができる。
【００７１】
（実施例４）
以下、本発明のディスク収納ケースの（実施例４）について説明する。
本発明の（実施例４）は、前述した（実施例３）の構成と比較して、図２２に示したケース全体１００Ａの構成中、トレイ側１２０Ａに設けられている４つのディスク保護リブ１７０のうち、受け台１６０Ａ側の２つのディスク保護リブ１７０を後述する追加リブ１７１，１７２付きディスク保護リブ１７０Ａ，１７０Ｂに変更しただけのものであり、これ以外の構成は実施例３の構成と同一である。
【００７２】
図３３は本発明のディスク収納ケースの実施例４のトレイ側を示す平面図、図３４は図３３に示す追加リブ付きのディスク保護リブの一部を線分Ｃ−Ｃ‘で切断した状態を示す断面図、図３５は図３３に示すディスク保護リブの追加リブ上方にディスクが接近している状態を説明するために追加リブ付きのディスク保護リブの一部を線分Ｂ−Ｂ‘で切断した状態を示す断面図、図３６は図３３中のＡ方向から追加リブ付きのディスク保護リブを見た図、図３７は係合部にディスクが係合されている状態で図３３に示す追加リブ付きのディスク保護リブの一部を線分Ｄ−Ｄ‘で切断した状態を示す断面図である。前述したものと同一構成部分には同一符号を付し、その説明を省略する。また、ケース全体の構成は実施例２と同様であるので図示は省略する。
【００７３】
前記した追加リブ付きのディスク保護リブ１７０Ａ，１７０Ｂの一端部には追加リブ１７１，１７２が係合部１３０Ａに対向するようにそれぞれ設けられている。これら追加リブ１７１，１７２は、ディスク２００の取り出し時に係止部１４０との係止を解除するとこのディスク２００が係合部１３０Ａ上方にポップアップして、ポップアップしたこのディスク２００の外縁部（最外周）がケース底面であるトレイ側１２０Ａに直接接触して、ケースから直ちに取り上げられないことを防止するために、ディスク２００の外縁部をこのときだけ規制するものである。
【００７４】
前記した追加リブ１７１，１７２の高さは受け台１６０Ａの高さより低く設定されている。追加リブ１７１，１７２のこの高さ設定によって、ディスク２００の取り出し直前に受け台１６０Ａに載置されているディスク２００の外縁部には、追加リブ１７１，１７２の上面が接触せず（図３７に図示）、前記したディスク２００の取り出し時にのみディスク２００の外縁部を規制するものである。
【００７５】
【発明の効果】
本発明によるディスク収納ケースは、収納されているディスクに対して負荷をかけることなく極めて容易に出し入れが可能であり、かつ確実に収納されているディスクを保持し偶発的な応力による抜け落ちを防止し、ディスクの傷、破損、変形等の事故を防止することができる。また、本発明により、ケースへのディスク収納が容易になるとともに、確実にこれを係止することが可能となって、ディスクを傷つけることがなく、従ってディスクへの信号の記録や、ディスクからの信号の読みとりに障害が生じることを避けることができる。
【図面の簡単な説明】
【図１】  本発明のディスク収納ケースの実施例１の平面図である。
【図２】  図1に示したディスク収納ケースにディスクを収納したときのケース背板部３側から見た中央部縦断面図である。
【図３】  ディスク保持機構を説明するための図である。
【図４】  ディスク着脱時のディスク保持機構の動作を説明するための図である。
【図５】  ケース上蓋変形時の状態を説明するための図である。
【図６】  本発明のディスク収納ケースの実施例２の斜視図である。
【図７】  係合部の拡大斜視図である。
【図８】  係合部を示す平面図である。
【図９】  係合部とディスクとの関係を示す断面図である。
【図１０】  カバーが変形した場合の全体を示す断面図である。
【図１１】  カバーが変形した場合の係合部周囲を示す図１０の拡大断面図である。
【図１２】  ディスクが収納されている状況を示す断面図である。
【図１３】  ディスクを取り出し作業途中段階を示す断面図である。
【図１４】  ディスクを取り出し作業最終段階でボタン状部を押しきった状況を示す断面図である。
【図１５】  ディスク収納開始時の関係を示す側面図である。
【図１６】  ディスクが収納される最終段階を示す側面図である。
【図１７】  ディスクが異なった機序で収納された場合の途中段階を示す側面図である。
【図１８】  ディスクを図１７の状態よりもさらに変形させて収納する場合を示す側面図である。
【図１９】  本発明に係るディスク収納状況を示す断面図である。
【図２０】  本発明に係るディスク取り出し作業途中段階を示す図である。
【図２１】  本発明に係るディスクを取り出し作業最終段階でボタン状部を押しきった状況を示す断面図である。
【図２２】  本発明のディスク収納ケースの実施例３の斜視図である。
【図２３】  係合部の拡大斜視図である。
【図２４】  係合部を示す断面図である。
【図２５】  ディスク収納開始時の関係を示す断面図である。
【図２６】  ディスク収納途中の状況を示す断面図である。
【図２７】  ディスク収納がさらに進行した状況を示す断面図である。
【図２８】  係止部の平面図である。
【図２９】  従来のディスク収納ケースの保持部を説明するための図である。
【図３０】  ディスク挿入時のメカニズムを説明するための図である。
【図３１】  ディスク取り出し時のメカニズムを説明するための図である。
【図３２】  ケース上蓋変形時の状況を説明するための図である。
【図３３】  本発明のディスク収納ケースの実施例４のトレイ側を示す平面図である。
【図３４】  図３３に示す追加リブ付きのディスク保護リブの一部を線分Ｃ−Ｃ‘で切断した状態を示す断面図である。
【図３５】  図３３に示すディスク保護リブの追加リブ上方にディスクが接近している状態を説明するために追加リブ付きのディスク保護リブの一部を線分Ｂ−Ｂ‘で切断した状態を示す断面図である。
【図３６】  図３３中のＡ方向から追加リブ付きのディスク保護リブを見た図である。
【図３７】  係合部にディスクが係合されている状態で図３３に示す追加リブ付きのディスク保護リブの一部を線分Ｄ−Ｄ‘で切断した状態を示す断面図である。
【符号の説明】
２  ケース底部（ケース面）
５  ディスク保持機構（係止部材）
８，２００  ディスク
９，１５１  円筒状リブ
１０，１４０  係止部、アーム（ロックアーム）
１１  アーム押圧部
１２  ロック用突起部
１４，２０１  ディスク中心穴（中心穴）
１５Ａ  切り欠き部
１００，１００Ａ  ディスク収納ケース
１１０  カバー側（カバー部）
１２０，１２０Ａ  トレイ側
１２５  プレート（ケース面）
１２５Ａ  接続部分
１２５Ｂ  一部分
１３０Ａ  係合部（係止部材）
１４３  リップ
１４４  ボタン状部
１４４Ａ  上面
１５０Ａ  外周面
１５１Ａ〜１５１Ｆ  リブ
１６０，１６０Ａ  受け台
１６５  切り込み（切り離し部分）
ｈ，Ｈ，Ｈ１，Ｈ２，ＨＨ  高さ
【図１】
0003659118.tif 000002
【図２】
0003659118.tif 000003
【図３】
0003659118.tif 000004
【図４】
0003659118.tif 000005
【図５】
0003659118.tif 000006
【図６】
0003659118.tif 000007
【図７】
0003659118.tif 000008
【図８】
0003659118.tif 000009
【図９】
0003659118.tif 000010
【図１０】
0003659118.tif 000011
【図１１】
0003659118.tif 000012
【図１２】
0003659118.tif 000013
【図１３】
0003659118.tif 000014
【図１４】
0003659118.tif 000015
【図１５】
0003659118.tif 000016
【図１６】
0003659118.tif 000017
【図１７】
0003659118.tif 000018
【図１８】
0003659118.tif 000019
【図１９】
0003659118.tif 000020
【図２０】
0003659118.tif 000021
【図２１】
0003659118.tif 000022
【図２２】
0003659118.tif 000023
【図２３】
0003659118.tif 000024
【図２４】
0003659118.tif 000025
【図２５】
0003659118.tif 000026
【図２６】
0003659118.tif 000027
【図２７】
0003659118.tif 000028
【図２８】
0003659118.tif 000029
【図２９】
0003659118.tif 000030
【図３０】
0003659118.tif 000031
【図３１】
0003659118.tif 000032
【図３２】
0003659118.tif 000033
【図３３】
0003659118.tif 000034
【図３４】
0003659118.tif 000035
【図３５】
0003659118.tif 000036
【図３６】
0003659118.tif 000037
【図３７】
0003659118.tif 000038